(57)【要約】【課題】２番組を視聴するとき、ユーザの意図を反映して一方の番組は映像のみ表示され、他方の番組は音声のみ出力されるようにする。【解決手段】ＡＶセレクタ４を介して入力された２つの番組の映像音声信号は、ジャンル分類部５に供給され、ＥＰＧデータに基づいて該当するジャンルに分類される。各ジャンル毎に映像、音声、テロップに対して優先度が設定されたジャンル分けテーブル７に基づいて、所定の番組の映像信号が映像選択部８によって選択されて映像制御部１０を介して映像表示部１２に表示される。また、ジャンル分けテーブル７に基づいて、所定の番組の音声信号が音声選択部９によって選択され、音声制御部１１を介してスピーカ１３に供給され出力される。【選択図】図１
2008187553.tif 000002
【特許請求の範囲】
【請求項１】
複数の映像音声信号を入力し、入力された複数の前記映像音声信号に対応する映像および音声のうちの所定のものを出力するテレビジョン受像機であって、
前記映像に対して優先度を設定する映像優先度設定手段と、
入力された複数の前記映像音声信号の前記映像の優先度を比較する映像優先度比較手段と、
所定の映像に対応する音声を指示する音声指示手段と、
該音声指示手段によって指示された音声を出力する音声出力制御手段と、
前記映像の優先度に基づいて、所定の映像を出力する映像出力制御手段と
を備えることを特徴とするテレビジョン受像機。
【請求項２】
複数の映像音声信号を入力し、入力された複数の前記映像音声信号に対応する映像および音声のうちの所定のものを出力するテレビジョン受像機であって、
前記音声に対して優先度を設定する音声優先度設定手段と、
入力された複数の前記映像音声信号の前記音声の優先度を比較する音声優先度比較手段と、
所定の音声に対応する映像を指示する映像指示手段と、
該映像指示手段によって指示された映像を出力する映像出力制御手段と、
前記音声の優先度に基づいて、所定の音声を出力する音声出力制御手段と
を備えることを特徴とするテレビジョン受像機。
【請求項３】
前記映像優先度設定手段は、前記映像が属するジャンルに応じて、前記映像に対して優先度を設定し、前記音声優先度設定手段は、前記映像が属するジャンルに応じて、前記映像に対応する前記音声に対して前記映像とは独立して優先度を設定する
ことを特徴とする請求項１または２に記載のテレビジョン受像機。
【請求項４】
前記映像が属するジャンルに応じて、前記映像に対応するテロップに対して優先度を設定する第３の設定手段をさらに備える
ことを特徴とする請求項１乃至３のいずれかに記載のテレビジョン受像機。
【請求項５】
前記映像出力制御手段は、前記映像の優先度に応じて所定の映像のみを画面に表示し、前記音声出力制御手段は、他の映像に対応する音声のみを出力させる
ことを特徴とする請求項１乃至４のいずれかに記載のテレビジョン受像機。
【請求項６】
複数の映像音声信号を入力し、入力された複数の前記映像音声信号に対応する映像および音声のうちの所定のものを出力するテレビジョン受像機の制御方法であって、
前記映像に対して優先度を設定する映像優先度設定ステップと、
入力された複数の前記映像音声信号の前記映像の優先度を比較する映像優先度比較ステップと、
所定の映像に対応する音声を指示する音声指示ステップと、
該音声指示ステップにおいて指示された音声を出力する音声出力制御ステップと、
前記映像の優先度に基づいて、所定の映像を出力する映像出力制御ステップと
を備えることを特徴とするテレビジョン受像機の制御方法。
【請求項７】
複数の映像音声信号を入力し、入力された複数の前記映像音声信号に対応する映像および音声のうちの所定のものを出力するテレビジョン受像機の制御方法であって、
前記音声に対して優先度を設定する音声優先度設定ステップと、
入力された複数の前記映像音声信号の前記音声の優先度を比較する音声優先度比較ステップと、
所定の音声に対応する映像を指示する映像指示ステップと、
該映像指示ステップにおいて指示された映像を出力する映像出力制御ステップと、
前記音声の優先度に基づいて、所定の音声を出力する音声出力制御ステップと
を備えることを特徴とするテレビジョン受像機の制御方法。
【請求項８】
複数の映像音声信号を入力し、入力された複数の前記映像音声信号に対応する映像および音声のうちの所定のものを出力するテレビジョン受像機の制御プログラムであって、
前記映像に対して優先度を設定する映像優先度設定ステップと、
入力された複数の前記映像音声信号の前記映像の優先度を比較する映像優先度比較ステップと、
所定の映像に対応する音声を指示する音声指示ステップと、
該音声指示ステップにおいて指示された音声を出力する音声出力制御ステップと、
前記映像の優先度に基づいて、所定の映像を出力する映像出力制御ステップと
を前記テレビジョン受像機に実行させることを特徴とするテレビジョン受像機の制御プログラム。
【請求項９】
複数の映像音声信号を入力し、入力された複数の前記映像音声信号に対応する映像および音声のうちの所定のものを出力するテレビジョン受像機の制御プログラムであって、
前記音声に対して優先度を設定する音声優先度設定ステップと、
入力された複数の前記映像音声信号の前記音声の優先度を比較する音声優先度比較ステップと、
所定の音声に対応する映像を指示する映像指示ステップと、
該映像指示ステップにおいて指示された映像を出力する映像出力制御ステップと、
前記音声の優先度に基づいて、所定の音声を出力する音声出力制御ステップと
を前記テレビジョン受像機に実行させることを特徴とするテレビジョン受像機の制御プログラム。
【発明の詳細な説明】
【技術分野】
【０００１】
本発明はテレビジョン受像機に関し、特に、複数の映像音声信号のうちの所定の映像のみを表示し、他の映像に対応する音声のみを出力させるテレビジョン受像機に関するものである。
【背景技術】
【０００２】
従来、デジタルテレビ放送の２つの番組を同時に視聴したい場合、２つの番組を同時にテレビジョン受像機の画面に表示していた。即ち、画面を左右２つの小画面に分割して右側の小画面に一方の番組を表示し、左側の小画面に他方の番組を表示している。また、２つの番組のうち、一方の番組を大きく表示し、他方の番組を小さく表示する方法もある。
また、このように、テレビジョン受像機に複数画面を表示する場合において、各画面は元の画面と同一サイズでもとのアスペクトレシオを保ち、かつマルチ画面上で有効サイズが最大となるような配置にして、モニター画面に出力することができ、例えば、内蔵又は別体のＵ／Ｖ（UHF/VHF)チューナ、ＢＳ（Broadcasting Satellite）チューナ、ＶＴＲ（Video Tape Recorder）等といった複数の異なる入力ソースの映像を同一画面上に画欠することなく表示することができるようにしたものがあり、１台のテレビジョン受像機で複数台のテレビジョン受像機とほぼ同等の機能を有するようにしたものがある（例えば、特許文献１参照）。
また、放送データを受信する受信回路と、受信された放送データから第１番組の圧縮音声データ及びクロックデータと第２番組の圧縮映像データとを分離する多重分離回路と、分離されたクロックデータから第１番組に固有の基準クロックを再生する唯一のクロック再生回路と、再生された基準クロックに基づいて、分離された第１番組の圧縮音声データを復号し音声データとして出力する音声デコーダと、分離された第２番組の圧縮映像データを放送データに含まれる第２番組のクロックが示す基準クロックと非同期に復号し映像データとして出力する映像デコーダとを備え、１つのクロック再生回路のみ、即ち、同じ番組に属する音声と映像を呈示する通常のデジタルテレビ放送受信端末装置の構成で、別の番組に属する音声と映像を同時に呈示可能なデジタルテレビ放送受信装置を提供することができるようにしたものがある（例えば、特許文献２参照）。
【特許文献１】特開平５−３１６４４７号公報
【特許文献２】特開２００１−１１９６３６号公報
【発明の開示】
【発明が解決しようとする課題】
【０００３】
しかしながら、特許文献１の発明では、２つの番組の両方の映像を出力しているので、２つの番組のうちの一方の番組の映像のみを表示し、他方の番組の音声のみを出力させるという出力方法を適用することができないという問題があった。
また、特許文献２の発明では、パイロット信号を用いてＢＧＭ（background music）やＢＧＶ（background video）を行うことができるが、どの番組の映像を表示し、どの番組の音声を出力するのかを選択するのはユーザであり、ユーザがその都度操作して指示しなければならず、操作が煩雑であるという問題があった。
【０００４】
本発明はこのような状況に鑑みてなされたものであり、上記問題点を解決できるテレビジョン受像機を提供することを目的とする。
【課題を解決するための手段】
【０００５】
請求項１に記載のテレビジョン受像機は、複数の映像音声信号を入力し、入力された複数の前記映像音声信号に対応する映像および音声のうちの所定のものを出力するテレビジョン受像機であって、前記映像に対して優先度を設定する映像優先度設定手段と、入力された複数の前記映像音声信号の前記映像の優先度を比較する映像優先度比較手段と、所定の映像に対応する音声を指示する音声指示手段と、該音声指示手段によって指示された音声を出力する音声出力制御手段と、前記映像の優先度に基づいて、所定の映像を出力する映像出力制御手段とを備えることを特徴とする。
請求項２に記載のテレビジョン受像機は、複数の映像音声信号を入力し、入力された複数の前記映像音声信号に対応する映像および音声のうちの所定のものを出力するテレビジョン受像機であって、前記音声に対して優先度を設定する音声優先度設定手段と、入力された複数の前記映像音声信号の前記音声の優先度を比較する音声優先度比較手段と、所定の音声に対応する映像を指示する映像指示手段と、該映像指示手段によって指示された映像を出力する映像出力制御手段と、前記音声の優先度に基づいて、所定の音声を出力する音声出力制御手段とを備えることを特徴とする。
また、前記映像優先度設定手段は、前記映像が属するジャンルに応じて、前記映像に対して優先度を設定し、前記音声優先度設定手段は、前記映像が属するジャンルに応じて、前記映像に対応する前記音声に対して前記映像とは独立して優先度を設定するようにすることができる。
また、前記映像が属するジャンルに応じて、前記映像に対応するテロップに対して優先度を設定する第３の設定手段をさらに備えるようにすることができる。
また、前記映像出力制御手段は、前記映像の優先度に応じて所定の映像のみを画面に表示し、前記音声出力制御手段は、他の映像に対応する音声のみを出力させるようにすることができる。
請求項６に記載のテレビジョン受像機の制御方法は、複数の映像音声信号を入力し、入力された複数の前記映像音声信号に対応する映像および音声のうちの所定のものを出力するテレビジョン受像機の制御方法であって、前記映像に対して優先度を設定する映像優先度設定ステップと、入力された複数の前記映像音声信号の前記映像の優先度を比較する映像優先度比較ステップと、所定の映像に対応する音声を指示する音声指示ステップと、該音声指示ステップにおいて指示された音声を出力する音声出力制御ステップと、前記映像の優先度に基づいて、所定の映像を出力する映像出力制御ステップとを備えることを特徴とする。
請求項７に記載のテレビジョン受像機の制御方法は、複数の映像音声信号を入力し、入力された複数の前記映像音声信号に対応する映像および音声のうちの所定のものを出力するテレビジョン受像機の制御方法であって、前記音声に対して優先度を設定する音声優先度設定ステップと、入力された複数の前記映像音声信号の前記音声の優先度を比較する音声優先度比較ステップと、所定の音声に対応する映像を指示する映像指示ステップと、該映像指示ステップにおいて指示された映像を出力する映像出力制御ステップと、前記音声の優先度に基づいて、所定の音声を出力する音声出力制御ステップとを備えることを特徴とする。
請求項８に記載のテレビジョン受像機の制御プログラムは、複数の映像音声信号を入力し、入力された複数の前記映像音声信号に対応する映像および音声のうちの所定のものを出力するテレビジョン受像機の制御プログラムであって、前記映像に対して優先度を設定する映像優先度設定ステップと、入力された複数の前記映像音声信号の前記映像の優先度を比較する映像優先度比較ステップと、所定の映像に対応する音声を指示する音声指示ステップと、該音声指示ステップにおいて指示された音声を出力する音声出力制御ステップと、前記映像の優先度に基づいて、所定の映像を出力する映像出力制御ステップとを前記テレビジョン受像機に実行させることを特徴とする。
請求項９に記載のテレビジョン受像機の制御プログラムは、複数の映像音声信号を入力し、入力された複数の前記映像音声信号に対応する映像および音声のうちの所定のものを出力するテレビジョン受像機の制御プログラムであって、前記音声に対して優先度を設定する音声優先度設定ステップと、入力された複数の前記映像音声信号の前記音声の優先度を比較する音声優先度比較ステップと、所定の音声に対応する映像を指示する映像指示ステップと、該映像指示ステップにおいて指示された映像を出力する映像出力制御ステップと、前記音声の優先度に基づいて、所定の音声を出力する音声出力制御ステップとを前記テレビジョン受像機に実行させることを特徴とする。
【発明の効果】
【０００６】
本発明のテレビジョン受像機によれば、ユーザが好む映像と音声の組み合わせを予測して、ＢＧＭまたはＢＧＶを提供することが可能となる。
【発明を実施するための最良の形態】
【０００７】
図１は、本発明の一実施の形態としてのテレビジョン受像機１００の構成例を示すブロック図である。同図に示すように、本実施の形態は、図示しないアナログ放送用のアンテナによって受信されたアナログ放送信号から所定のチャンネルを選局してそのチャンネルの映像音声信号を後述するＡＶ（Audio Visual）セレクタ４に供給するアナログチューナ１と、図示しないデジタル放送用のアンテナによって受信されたデジタル放送信号から所定のチャンネルを選局してそのチャンネルの映像音声信号をＡＶセレクタ４に供給するデジタルチューナ２と、外部機器が出力する映像音声信号を入力し、ＡＶセレクタ４に供給する外部入力部３−１乃至３−ｎと、アナログチューナ１、デジタルチューナ２、外部入力部３−１乃至３−ｎより供給された各映像音声信号のうち、ユーザが指定した所定の２つのものを選択して、映像音声信号を後述するジャンル分類部５に供給し、映像信号を映像選択部８に供給し、音声信号を音声選択部９に供給するＡＶセレクタ４と、ＡＶセレクタ４より供給された映像音声信号に含まれるＥＰＧデータに基づいて、２つの映像音声信号に対応する２つの番組を対応するジャンルにそれぞれ分類するとともに、後述するジャンル分けテーブル７に基づいて映像選択部８および音声選択部９を制御するジャンル分類部５と、不揮発性メモリ等に記憶されたジャンル分けテーブル７と、ジャンル分類部５の制御により、ＡＶセレクタ４より供給される２つの映像信号から所定の映像信号を選択して映像制御部１０に供給する映像選択部８と、ジャンル分類部５の制御により、ＡＶセレクタ４より供給される２つの音声信号から所定の音声信号を選択して音声制御部１１に供給する音声選択部９と、映像選択部８より供給された映像信号に対応する表示制御信号を生成して映像表示部１２に供給する映像制御部１０と、音声選択部９より供給された音声信号をスピーカ１３に供給する音声制御部１１と、映像制御部１０より供給された表示制御信号に従って映像を表示する映像表示部１２と、音声制御部１１より供給された音声信号に対応する音声を出力するスピーカ１３と、図示しないリモコンやテレビジョン受像機本体からの操作指示に基づく指示も含めテレビジョン受像機１００のシステム全体を制御するマイコン１４等により構成されている。
【０００８】
図２は、ジャンル分類部５が映像音声信号を対応するジャンルに分類するときに用いられるジャンル分けテーブル７の例を示している。このジャンル分けテーブル７は、ユーザによって予め所定の方法で設定され、ジャンル分類部５が有する不揮発性メモリ等に記憶される。
【０００９】
この例では、ジャンル「ニュース」、「映画」、「バラエティ」、「音楽」、「ドキュメンタリー」、「環境」、「教育」、「ラジオ」、「スポーツ」、「ドラマ」、「アニメ」毎に、映像、音声、テロップのそれぞれに対して三段階の優先度が設定されている。図において、記号「○」は最も優先度が高い「高」、記号「△」は「○」の次に優先度が高い「中」、記号「×」は最も優先度が低い「低」を表している。
【００１０】
この例の場合、ジャンル「ニュース」では、映像、音声、テロップのそれぞれに優先度「中」が設定されている。ジャンル「映画」では、映像と音声のそれぞれに優先度「高」が設定され、テロップには優先度「低」が設定されている。ジャンル「バラエティ」では、映像と音声のそれぞれに優先度「高」が設定され、テロップには優先度「低」が設定されている。ジャンル「音楽」では、映像に優先度「低」が設定され、音声とテロップにそれぞれ優先度「高」が設定されている。ジャンル「ドキュメンタリー」では、映像と音声のそれぞれに優先度「高」が設定され、テロップには優先度「低」が設定されている。ジャンル「環境」では、映像と音声のそれぞれに優先度「中」が設定され、テロップには優先度「低」が設定されている。ジャンル「教育」では、映像と音声のそれぞれに優先度「高」が設定され、テロップには優先度「低」が設定されている。ジャンル「ラジオ」では、映像に優先度「低」が設定され、音声とテロップに優先度「高」が設定されている。ジャンル「スポーツ」では、映像に優先度「高」が設定され、音声とテロップにそれぞれ優先度「低」が設定されている。ジャンル「ドラマ」では、映像と音声のそれぞれに優先度「高」が設定され、テロップには優先度「低」が設定されている。ジャンル「アニメ」では、映像と音声のそれぞれに優先度「高」が設定され、テロップには優先度「低」が設定されている。
【００１１】
図３は、本実施の第一、第二の実施形態による、テレビジョン受像機１００の映像表示部１２の画面に所定の番組Ａの映像Ａが表示され、他の番組Ｂの映像Ｂに対応する音声がスピーカ１３から出力されている状態を示している。
【００１２】
図４は、本実施の第一、第二、および第三の実施形態による、テレビジョン受像機１００の映像表示部１２の画面が仮想的に左右２つの小画面に分割され、左側の小画面に所定の番組Ａの映像Ａが表示され、右側の小画面に他の番組Ｂの映像Ｂが表示され、映像Ａの音声と映像Ｂの音声との優先度比較により、優先度の高い映像側の音声がスピーカ１３から出力されている状態（「自動ＢＧＶ」設定時）、または、優先度の高い音声がスピーカ１３から出力される状態（「自動ＢＧＭ」設定時）を示している。
【００１３】
本発明の実施の形態では、音声の優先度を基に自動的に音声を選択する機能を「自動ＢＧＭ」機能とし、映像の優先度を基に自動的に映像を選択する機能を「自動ＢＧＶ」機能として説明する。「自動ＢＧＭ」機能と「自動ＢＧＶ」機能は、ユーザが予めリモコン操作によりメニューから「自動ＢＧＭ」機能、及び「自動ＢＧＶ」機能を設定する方法や、リモコンに「自動ＢＧＭ」機能ボタン、及び「自動ＢＧＶ」機能ボタンを設けておいて、ユーザが上記ボタンを押すことで対応する機能が設定される。
【００１４】
図５は、本発明の第一の実施形態の処理手順を示すフローチャートである。まず、ステップＳ１において、ユーザによって図示しないリモコンが操作され、２つのチャンネルが選局されて「２番組表示」が指示されたか否かが判定される。「２番組表示」が指示されていないと判定された場合、ステップＳ１の処理が繰り返し実行される。一方、「２番組表示」が指示されたと判定された場合、ステップＳ２に進む。
【００１５】
ステップＳ２においては、ユーザにより図示しないリモコンの「自動ＢＧＭ」機能ボタンが操作されて、「自動ＢＧＭ」が設定されたか否かが判定される。その結果、「自動ＢＧＭ」が設定されていないと判定された場合、ステップＳ６に進む。一方、「自動ＢＧＭ」が設定されたと判定された場合、ステップＳ３に進む。
【００１６】
ステップＳ３においては、ジャンル分類部５により、図示しない不揮発性メモリに記憶されているジャンル分けテーブル７が読み出され、ＡＶセレクタ４より供給される映像音声信号に対応する各番組（ユーザによって選局された２つのチャンネルで放送されている２つの番組）について、音声を出力するときの優先度（音声優先度）が取得される。
【００１７】
次に、ステップＳ４に進み、マイコン１４により、ステップＳ３において取得されたアクティブ番組の音声優先度と、サブ番組の音声優先度とが比較され、アクティブ番組の音声優先度よりもサブ番組の音声優先度の方が高いか否かが判定される。ここで、アクティブ番組とは、選択された２つの番組のうち、最初に選択され、画面の左側領域に表示されている番組と定義される。サブ番組は、アクティブ番組の次に選択され、画面の右側領域に表示されている番組と定義される。図４に示した例では、映像Ａがアクティブ番組の映像であり、映像Ｂがサブ番組の映像である。
【００１８】
その結果、アクティブ番組の音声優先度よりもサブ番組の音声優先度の方が高いと判定された場合、ステップＳ５に進み、アクティブ番組の映像のみが映像表示部１２の画面に表示され、サブ番組の音声のみがスピーカ１３より出力される。
【００１９】
一方、アクティブ番組の音声優先度の方がサブ番組の音声優先度より高いと判定された場合、ステップＳ６に進み、２番組の各映像が映像表示部１２の画面を仮想的に分割して形成された左右２つの小画面にそれぞれ同時に表示され、アクティブ番組の音声のみがスピーカ１３より出力される。ステップＳ５またはステップＳ６の処理が終了すると、本処理を終了する。
【００２０】
図６は、本発明の第二の実施形態の処理手順を示すフローチャートである。まず、ステップＳ１１において、ユーザによって図示しないリモコンが操作され、２つのチャンネルが選局されて「２番組表示」が指示されたか否かが判定される。「２番組表示」が指示されていないと判定された場合、ステップＳ１１の処理が繰り返し実行される。一方、「２番組表示」が指示されたと判定された場合、ステップＳ１２に進む。
【００２１】
ステップＳ１２においては、ユーザにより図示しないリモコンの「自動ＢＧＶ」機能ボタンが操作されて、「自動ＢＧＶ」が設定されたか否かが判定される。その結果、「自動ＢＧＶ」が設定されていないと判定された場合、ステップＳ１６に進む。一方、「自動ＢＧＶ」が設定されたと判定された場合、ステップＳ１３に進む。
【００２２】
ステップＳ１３においては、ジャンル分類部５により、図示しない不揮発性メモリに記憶されているジャンル分けテーブル７が読み出され、ＡＶセレクタ４より供給される映像音声信号に対応する各番組（ユーザによって選局された２つのチャンネルで放送されている２つの番組）について、映像を表示するときの優先度（映像優先度）が取得される。
【００２３】
次に、ステップＳ１４に進み、マイコン１４により、ステップＳ１３において取得されたアクティブ番組の映像優先度と、サブ番組の映像優先度とが比較され、アクティブ番組の映像優先度よりもサブ番組の映像優先度の方が高いか否かが判定される。
【００２４】
その結果、アクティブ番組の映像優先度よりもサブ番組の映像優先度の方が高いと判定された場合、ステップＳ１５に進み、サブ番組の映像のみが映像表示部１２の画面全面に表示され、アクティブ番組の音声のみがスピーカ１３より出力される。
【００２５】
一方、アクティブ番組の映像優先度の方がサブ番組の映像優先度より高いと判定された場合、ステップＳ１６に進み、２番組の各映像が映像表示部１２の画面を仮想的に分割して形成された左右２つの小画面にそれぞれ同時に表示され、アクティブ番組の音声のみがスピーカ１３より出力される。ステップＳ１５またはステップＳ１６の処理が終了すると、本処理を終了する。
【００２６】
図７は、本発明の第三の実施形態の処理手順を示すフローチャートである。まず、ステップＳ２１において、ユーザによって図示しないリモコンが操作され、２つのチャンネルが選局されて「２番組表示」が指示されたか否かが判定される。「２番組表示」が指示されていないと判定された場合、ステップＳ２１の処理が繰り返し実行される。一方、「２番組表示」が指示されたと判定された場合、ステップＳ２２に進む。
【００２７】
ステップＳ２２においては、ユーザにより図示しないリモコンの「自動ＢＧＭ」機能ボタンが操作されて、「自動ＢＧＭ」が設定されたか否かが判定される。その結果、「自動ＢＧＭ」が設定されていないと判定された場合、ステップＳ２６に進む。一方、「自動ＢＧＭ」が設定されたと判定された場合、ステップＳ２３に進む。
【００２８】
ステップＳ２３においては、ジャンル分類部５により、図示しない不揮発性メモリに記憶されているジャンル分けテーブル７が読み出され、ＡＶセレクタ４より供給される映像音声信号に対応する各番組（ユーザによって選局された２つのチャンネルで放送されている２つの番組）について、音声を出力するときの優先度（音声優先度）が取得される。
【００２９】
次に、ステップＳ２４に進み、マイコン１４により、ステップＳ２３において取得されたアクティブ番組の音声優先度と、サブ番組の音声優先度とが比較され、アクティブ番組の音声優先度よりもサブ番組の音声優先度の方が高いか否かが判定される。
【００３０】
その結果、アクティブ番組の音声優先度よりもサブ番組の音声優先度の方が高いと判定された場合、ステップＳ２５に進み、２番組の各映像が映像表示部１２の画面を仮想的に分割して形成された左右２つの小画面にそれぞれ同時に表示され、サブ番組の音声のみがスピーカ１３より出力される。
【００３１】
一方、アクティブ番組の音声優先度の方がサブ番組の音声優先度より高いと判定された場合、ステップＳ２６に進み、２番組の各映像が映像表示部１２の画面を仮想的に分割して形成された左右２つの小画面にそれぞれ同時に表示され、アクティブ番組の音声のみがスピーカ１３より出力される。ステップＳ２５またはステップＳ２６の処理が終了すると、本処理を終了する。
【００３２】
例えば、ユーザが、「自動ＢＧＭ」を設定し、ジャンル「ニュース」に属する番組と、ジャンル「スポーツ」に属する番組を選択した場合、図５のフローチャートに従えば、ステップＳ３において、ジャンル「ニュース」に属する番組の音声優先度「△（中）」と、ジャンル「スポーツ」に属する番組の音声優先度「×（低）」が取得される。
【００３３】
次に、ステップＳ４において、アクティブ番組（この場合、先に選択されたジャンル「ニュース」に属する番組）の音声優先度の方が、サブ番組（この場合、後に選択されたジャンル「スポーツ」に属する番組）の音声優先度よりも高いので、ステップＳ６に進み、２番組が映像表示部１２の画面に同時に表示され、アクティブ番組（この場合、先に選択されたジャンル「ニュース」に属する番組）の音声がスピーカ１３より出力される。
【００３４】
従って、ユーザにより、ジャンル「ニュース」に属する番組と、ジャンル「スポーツ」に属する番組が選択され、図５のフローチャートに従って処理が行われた場合、ユーザは、ジャンル「ニュース」と「スポーツ」に属する各番組の映像をそれぞれ見ながら、ジャンル「ニュース」に属する番組の音声を聞くことになる。
【００３５】
また、例えば、ユーザが「自動ＢＧＶ」を設定し、ジャンル「ニュース」に属する番組と、ジャンル「スポーツ」に属する番組を選択した場合、図６のフローチャートに従えば、ステップＳ１３において、ジャンル「ニュース」に属する番組の映像優先度「△（中）」と、ジャンル「スポーツ」に属する番組の映像優先度「○（高）」が取得される。
【００３６】
次に、ステップＳ１４において、アクティブ番組（この場合、先に選択されたジャンル「ニュース」に属する番組）の映像優先度よりも、サブ番組（この場合、後に選択されたジャンル「スポーツ」に属する番組）の映像優先度の方が高いので、ステップＳ１５に進み、サブ番組（この場合、後に選択されたジャンル「スポーツ」に属する番組）のみが映像表示部１２の画面全面に表示され、アクティブ番組（この場合、先に選択されたジャンル「ニュース」に属する番組）の音声のみがスピーカ１３より出力される。
【００３７】
従って、ユーザにより、「自動ＢＧＶ」が設定され、ジャンル「ニュース」に属する番組と、ジャンル「スポーツ」に属する番組が選択され、図６のフローチャートに従って処理が行われた場合、ユーザは、ジャンル「スポーツ」に属する番組の映像のみを見ながら、ジャンル「ニュース」に属する番組の音声を聞くことになる。
【００３８】
また、例えば、ユーザが、「自動ＢＧＭ」を設定し、ジャンル「ニュース」に属する番組と、ジャンル「スポーツ」に属する番組を選択した場合、図７のフローチャートに従えば、ステップＳ２３において、ジャンル「ニュース」に属する番組の音声優先度「△（中）」と、ジャンル「スポーツ」に属する番組の音声優先度「×（低）」が取得される。
【００３９】
次に、ステップＳ２４において、アクティブ番組（この場合、先に選択されたジャンル「ニュース」に属する番組）の音声優先度の方が、サブ番組（この場合、後に選択されたジャンル「スポーツ」に属する番組）の音声優先度よりも高いので、ステップＳ２６に進み、２番組が映像表示部１２の画面に仮想的に形成された左右の小画面にそれぞれ同時に表示され、アクティブ番組（この場合、先に選択されたジャンル「ニュース」に属する番組）の音声がスピーカ１３より出力される。
【００４０】
従って、ユーザにより、「自動ＢＧＭ」が設定され、ジャンル「ニュース」に属する番組と、ジャンル「スポーツ」に属する番組が選択され、図７のフローチャートに従って処理が行われた場合、ユーザは、ジャンル「ニュース」と「スポーツ」に属する各番組の映像をそれぞれ見ながら、ジャンル「ニュース」に属する番組の音声を聞くことになる。
【００４１】
また、例えば、ユーザが、「自動ＢＧＭ」を設定し、ジャンル「スポーツ」に属する番組と、ジャンル「ドラマ」に属する番組を選択した場合、図７のフローチャートに従えば、ステップＳ２３において、ジャンル「スポーツ」に属する番組の音声優先度「×（低）」と、ジャンル「ドラマ」に属する番組の音声優先度「○（高）」が取得される。
【００４２】
次に、ステップＳ２４において、アクティブ番組（この場合、先に選択されたジャンル「スポーツ」に属する番組）の音声優先度の方よりも、サブ番組（この場合、後に選択されたジャンル「ドラマ」に属する番組）の音声優先度の方が高いので、ステップＳ２５に進み、２番組が映像表示部１２の画面に仮想的に形成された左右の小画面にそれぞれ同時に表示され、サブ番組（この場合、後に選択されたジャンル「ドラマ」に属する番組）の音声がスピーカ１３より出力される。
【００４３】
従って、ユーザにより、「自動ＢＧＭ」が設定され、ジャンル「スポーツ」に属する番組と、ジャンル「ドラマ」に属する番組が選択され、図７のフローチャートに従って処理が行われた場合、ユーザは、ジャンル「スポーツ」と「ドラマ」に属する各番組の映像をそれぞれ見ながら、ジャンル「ドラマ」に属する番組の音声を聞くことになる。
【００４４】
このように、ユーザは、「自動ＢＧＭ」または「自動ＢＧＶ」のいずれかを設定し、２つの番組を選択するだけで、ジャンル分けテーブル７に予め設定された音声優先度および映像優先度に従って、所定の番組の映像および所定の番組の音声がそれぞれ出力されるので、どちらの映像を表示し、どちらの音声を出力するかをその都度指定する必要がない。また、ジャンル分けテーブル７は、ユーザの好みを反映して作成されるようにすることができるので、どちらの番組の映像が表示され、どちらの番組の音声が出力されるかという点において、ユーザの意図と大きくはずれるということがない。
【００４５】
なお、上記ジャンル分けテーブル７は、予め出荷時に設定しておくこともできるし、ユーザが任意に設定できるようにすることもできる。
【００４６】
また、図２に示したジャンル分けテーブル７の設定値は例であってこれに限定されるものではない。
【００４７】
また、上記実施の形態の構成及び動作は例であって、本発明の趣旨を逸脱しない範囲で適宜変更することができることは言うまでもない。
【産業上の利用可能性】
【００４８】
本発明の活用例として、例えば、テレビジョン受像機だけでなく、デジタルテレビ放送を受信可能な携帯電話機等にも本発明を適用することができる。
【図面の簡単な説明】
【００４９】
【図１】本発明の一実施の形態の構成例を示すブロック図である。
【図２】ジャンル分けテーブル７の設定値の例を示す図である。
【図３】映像表示部に一方の番組の映像のみ表示され、他方の番組の音声のみがスピーカから出力される状態を示す図である。
【図４】映像表示部の画面を左右に分割した各小画面に番組Ａの映像Ａと番組Ｂの映像Ｂがそれぞれ同時に表示され、番組Ａまたは番組Ｂの音声がスピーカから出力される状態を示す図である。
【図５】本発明の第一の実施の形態の動作を説明するためのフローチャートである。
【図６】本発明の第二の実施の形態の動作を説明するためのフローチャートである。
【図７】本発明の第三の実施の形態の動作を説明するためのフローチャートである。
【符号の説明】
【００５０】
１  アナログチューナ
２  デジタルチューナ
３  外部入力部
４  ＡＶセレクタ
５  ジャンル分類部
７  ジャンル分けテーブル
８  映像選択部
９  音声選択部
１０  映像制御部
１１  音声制御部
１２  映像表示部
１３  スピーカ
１４  マイコン
１００  テレビジョン受像機
【図１】
2008187553.tif 000003
【図２】
2008187553.tif 000004
【図３】
2008187553.tif 000005
【図４】
2008187553.tif 000006
【図５】
2008187553.tif 000007
【図６】
2008187553.tif 000008
【図７】
2008187553.tif 000009